(57)【特許請求の範囲】
【請求項１】
開口部が、第１の信号波長の光を出射する光ファイバの光軸と対向するように設置された、リードフレームからなる筐体と、
前記筐体の底面の一部を切り起こして、前記光ファイバの光軸に対して所定の角度を成す斜面を形成した切り起こし部と、
前記切り起こし部の斜面上に設けられ、前記第１の信号波長の光を反射する反射型遮断用フィルタと、
前記筐体の上面に、前記反射型遮断用フィルタで反射された前記第１の信号波長の光が入射するように受光面を設置した上面２電極タイプの受光素子とを備えた光伝送モジュール。
【請求項２】
前記反射型遮断用フィルタが、前記切り起こし部の斜面上に蒸着形成されていることを特徴とする請求項１記載の光伝送モジュール。
【請求項３】
前記切り起こし部が、前記光ファイバの光軸に対して凹面となるように形成され、
前記反射型遮断用フィルタが、前記第１の信号波長の光を集光して前記受光素子の受光面に入射する凹面鏡であることを特徴とする請求項１または請求項２記載の光伝送モジュール。
【請求項４】
前記反射型遮断用フィルタを、前記第１の信号波長の光を反射すると共に第２の信号波長の光を透過する波長合分波フィルタとし、
前記波長合分波フィルタの後方に、前記光ファイバの光軸に対向するように配置され、前記第２の信号波長の光を出射する発光素子を備えたことを特徴とする請求項１記載の光伝送モジュール。
【請求項５】
両端開口部が第１、第２の信号波長の光を出射する光ファイバの光軸と対向するように設置された、リードフレームからなる第１の筐体と、
前記第１の筐体の底面の一部を切り起こして、前記光ファイバの光軸に対して所定の角度を成す斜面を形成した第１の切り起こし部と、
前記第１の切り起こし部の斜面上に設けられ、前記第１の信号波長の光を反射すると共に前記第２の信号波長の光と第３の信号波長の光とを透過する第１の波長合分波フィルタと、
前記第１の筐体の上面に、前記第１の波長合分波フィルタで反射された前記第１の信号波長の光が入射するように受光面を設置した上面２電極タイプの第１の受光素子と、
開口部が前記光ファイバの光軸と対向するように、前記第１の筐体の後方に設置された、リードフレームからなる第２の筐体と、
前記第２の筐体の底面の一部を切り起こして、前記光ファイバの光軸に対して所定の角度の斜面を形成した第２の切り起こし部と、
前記第２の切り起こし部の斜面上に設けられ、前記第２の信号波長の光を反射すると共に前記第３の信号波長の光を透過する第２の波長合分波フィルタと、
前記第２の筐体の上面に、前記第２の波長合分波フィルタで反射された前記第２の信号波長の光が入射するように受光面を設置した上面２電極タイプの第２の受光素子と、
前記第２の波長合分波フィルタの後方に、前記光ファイバの光軸に対向するように配置され、前記第３の信号波長の光を出射する発光素子とを備えたことを特徴とする光伝送モジュール。
【発明の詳細な説明】
【技術分野】
【０００１】
この発明は、波長多重光通信の光送受信器に使用する、光伝送モジュールに関するものである。
【背景技術】
【０００２】
従来の光伝送モジュールにおいては、受光素子及び発光素子に高価なＣＡＮパッケージを用いて立体的に構成し、信号波長以外の波長の光を遮断する遮断用フィルタは、前記受光素子側のＣＡＮパッケージ内に設けるような構成にしている（例えば、特許文献１参照）。
【０００３】
【特許文献１】特開２００３−１６７１７１号公報
【発明の開示】
【発明が解決しようとする課題】
【０００４】
従来の光伝送モジュールは、以上のように構成されていたので、高価なＣＡＮパッケージの使用に伴うコスト高という問題があった。そこで、低価格化を目的に、リードフレーム上に各部品を実装する構造にした場合、低価格な上面２電極タイプの受光素子の前面に遮断用フィルタを貼り付ける場合に、ワイヤボンディングが遮断用フィルタと干渉してしまい、受光素子の受光面を完全に覆うように遮断用フィルタを貼り付けることができないという課題があった。
【０００５】
この発明は上記のような課題を解消するためになされたもので、上面２電極タイプの受光素子を使用できる構造とすることにより、低価格な光伝送モジュールを提供することを目的とする。
【課題を解決するための手段】
【０００６】
この発明に係る光伝送モジュールは、開口部が、第１の信号波長の光を出射する光ファイバの光軸と対向するように設置された、リードフレームからなる筐体と、前記筐体の底面の一部を切り起こして、前記光ファイバの光軸に対して所定の角度を成す斜面を形成した切り起こし部と、前記切り起こし部の斜面上に設けられ、前記第１の信号波長の光を反射する反射型遮断用フィルタと、前記筐体の上面に、前記反射型遮断用フィルタで反射された前記第１の信号波長の光が入射するように受光面を設置した上面２電極タイプの受光素子とを備えている。
【発明の効果】
【０００７】
この発明によれば、リードフレームからなる筐体の一部である切り起こし部の斜面上に反射型遮断用フィルタを設け、上面２電極タイプの受光素子の受光面に所定の信号波長の光が入射するように構成しているので、低価格な光伝送モジュールを提供することができる。
【発明を実施するための最良の形態】
【０００８】
実施の形態１．
以下、この発明の実施の形態１について説明する。図１は、この発明の実施の形態１に係る光伝送モジュールの構造を示す斜視図である。
図１において、本光伝送モジュールは、光ファイバ４の光軸に対向する位置に開口部を有するリードフレーム（筐体）３と、リードフレーム３の底面の一部を切り起こして光軸と所定の角度を成す斜面を形成する切り起こし部３ａと、切り起こし部３ａの斜面上に実装され、信号波長λ１の光のみを反射する反射型遮断用フィルタ２と、リードフレーム３の上面に設けられた開口部に、受光面を下側にして実装された上面２電極タイプの受光素子（ＰＤ：Ｐｈｏｔｏ  Ｄｉｏｄｅ）１とを備えている。
【０００９】
次に、動作について説明する。図２は、図１の光伝送モジュールの側断面図である。
図２において、本光伝送モジュールに対して、光ファイバ４からカプラで分けられた光が入射してくる。リードフレーム３の開口部から入射した光は、反射型遮断用フィルタ２により、信号波長λ１の光のみが選択的に１の受光素子に向けて反射される。反射された信号波長λ１の光は、リードフレーム３の上面開口部に実装された受光素子１の受光面に入射して、光通信に供される。
この構造により、従来例のように高価なＣＡＮパッケージを用いた構造から部品点数を削減でき、低価格な上面２電極タイプの受光素子を使うことができる。
【００１０】
以上のように、この実施の形態１によれば、リードフレーム３の切り起こし部３ａの斜面上に設けた反射型遮断用フィルタ２と、上面２電極タイプの受光素子１のみを実装する簡易構成により、低価格な光伝送モジュールを提供することができる。
【００１１】
実施の形態２．
以下、この発明の実施の形態２について説明する。図３は、この発明の実施形態２に係る光伝送モジュールの側断面図である。
図３に示す光伝送モジュールは、図２のリードフレーム３の切り起こし部３ａの斜面上に、反射型遮断用フィルタ２を蒸着したものである。その他の構成は、図２と同様である。
【００１２】
以上のように、この実施の形態２によれば、実施の形態１の効果に加えて、反射型遮断用フィルタ２の基材が不要となり、光伝送モジュールの更なる低価格化を実現することができる。
【００１３】
実施の形態３．
以下、この発明の実施の形態３について説明する。図４は、この発明の実施の形態３に係る光伝送モジュールの側断面図である。
図４において、切り起こし部３ａを切り起こす際に、凹面形状に形成している。更に、切り起こし部３ａの凹面上に反射型遮断用フィルタ２を蒸着している。その他の構成は図３と同様である。
【００１４】
以上のように、この実施の形態３によれば、実施の形態３の効果に加えて、光ファイバ４からの光を凹面鏡の特性を有する反射型遮断用フィルタ２に入射することにより、受光素子１に対してより集光させることが可能となる。従って、集光レンズ等の追加部品を別途設けることなく、光伝送モジュールの受光感度を改善することができる。
【００１５】
実施の形態４．
以下、この発明の実施の形態４について説明する。図５は、この発明の実施の形態４に係る光伝送モジュールの側断面図である。
図５において、リードフレーム３の切り起こし部３ａの中央付近には、信号波長λ２の光を透過できる空隙を設けている。
また、光ファイバ４の光軸と対向するように、切り起こし部３ａの後方位置に発光素子（ＬＤ：Ｌａｓｅｒ  Ｄｉｏｄｅ）５を実装する。
更に、図２の反射型遮断用フィルタ２の変わりに、切り起こし部３ａの斜面上に波長合分波フィルタ６を実装する。その他の構成は、実施の形態１（図２）と同様である。
【００１６】
次に、動作について説明する。図５に示すように、光ファイバ４からの信号波長λ１の光のみが波長合分波フィルタ６で反射され、受光素子１と結合する。
一方、発光素子５から出射された信号波長λ２の光は、波長合分波フィルタ６を透過して光ファイバ４と結合する。
【００１７】
以上のように、この実施の形態４によれば、実施の形態１の効果に加えて、送受一体型の光伝送モジュールを提供することができる。
【００１８】
実施の形態５．
以下、この発明の実施の形態５について説明する。図６は、この発明の実施の形態５に係る光伝送モジュールの側断面図である。
図６において、図５の光伝送モジュールの前方、光ファイバ４の光軸との対向位置に、発光素子５を除いた図５と同構成の光モジュールを備えている。
【００１９】
次に、動作について説明する。波長合分波フィルタ７ａは、光ファイバ４からの信号波長λ１の光を反射し、λ１用受光素子１ａに結合させると共に、発光素子５から出射された信号波長λ２の光と光ファイバ４からの信号波長λ３の光は透過する。
一方、波長合分波フィルタ７ｂは、波長合分波フィルタ７ａを透過した信号波長λ３の光のみを反射してλ３用受光素子１ｂに結合させると共に、発光素子５から出射された信号波長λ２の光は透過する。
【００２０】
以上のように、この実施の形態５によれば、実施の携帯４の効果に加えて、波長合分波フィルタ通信用波長λ１とビデオ用波長λ３を別々に取り出すことが可能になり、従来技術では実現が困難な、３ポートの光伝送モジュールを容易に実現することができる。
【図面の簡単な説明】
【００２１】
【図１】この発明の実施の形態１に係る光伝送モジュールの構造を示す斜視図である。
【図２】図１の光伝送モジュールの側断面図である。
【図３】この発明の実施の形態２に係る光伝送モジュールの側断面図である。
【図４】この発明の実施の形態３に係る光伝送モジュールの側断面図である。
【図５】この発明の実施の形態４に係る光伝送モジュールの側断面図である。
【図６】この発明の実施の形態５に係る光伝送モジュールの側断面図である。
【符号の説明】
【００２２】
１  受光素子、１ａ  λ１用受光素子、１ｂ  λ３用受光素子、２  反射型遮断用フィルタ、３  リードフレーム（筐体）、３ａ  切り起こし部、４  光ファイバ、５  発光素子、６  波長合分波フィルタ、７ａ  波長合分波フィルタ、７ｂ  波長合分波フィルタ。
【図１】
0004588597.tif 000002
【図２】
0004588597.tif 000003
【図３】
0004588597.tif 000004
【図４】
0004588597.tif 000005
【図５】
0004588597.tif 000006
【図６】
0004588597.tif 000007